(57)【特許請求の範囲】
【請求項１】
発電機を備えた風力発電装置であって、
この風力発電装置は、支柱に設けた軸受けと、この軸受けに回転自在に設けた軸と、この軸に設けた羽根車と、前記軸に懸架したベルトと、このベルトが掛止される発電機のプーリーとを備えており、前記羽根車を収容する一本又は数本の支持杆に設けた風胴と、この風胴に設けた暖房部と、この暖房部の熱源となる、夏季の暖気、発電機に蓄電した電力の一部、又は地中熱による暖気、或いはボイラの熱気、地下水の温水、又は廃熱の何れかと、前記風胴に設けた常温部と、この常温部を常温に維持する手段となる、冬季の冷気、又は地中熱による冷気、或いは地下の冷水、又は廃冷気の何れかと、で構成するとともに、前記暖房部と、前記常温部とにより生成される温度差を確保するとともに、前記羽根車の一面側と他面側とに生成される圧力差を利用して、前記羽根車を回転可能とする風力発電装置において、
前記常温部を、前記風胴の長手方向の中心に設けた前記羽根車の羽根前側に設けるとともに、前記暖房部を、前記羽根車の羽根後側に設ける構成とした風力発電装置。
【請求項２】
請求項１に記載の風力発電装置において、
前記風胴を、固定側と可動側とで構成し、この固定側の自由端に、この可動側の基端を枢支し、この可動側を拡縮可能にする構成とした風力発電装置。
【請求項３】
請求項１に記載の風力発電装置において、
前記圧力差で、前記羽根車を回転する条件は、この羽根車が風で回転しない状況下とする構成とした風力発電装置。
【請求項４】
請求項１に記載の風力発電装置において、
前記暖房部への電力、暖気、又は熱の供給を、制御部でコントロールする構成とした風力発電装置。
【請求項５】
請求項１に記載の風力発電装置において、
前記暖房部と前記常温部を設ける前記風胴は、前記羽根車の外側に対峙して設けた帯状翼形構造の圧力差発生部であり、この圧力差発生部は、側面視して一面側・他面側の、それぞれの端部が、放射方向に反り上がり構造とする構成とした風力発電装置。
【請求項６】
請求項１に記載の風力発電装置において、
前記温度差は、比熱差、薬品の反応熱、又は冷却熱、或いは冷却による温度差とする構成とした風力発電装置。
【請求項７】
請求項１に記載の風力発電装置において、
前記支柱に回転自在に設けた回転軸が回転し、この回転で、トーションバー、スパイラルスプリング、反発機構に動力を蓄積し、クラッチ機構を介して、この回転軸を回転し、前記羽根車を回転する構成とした風力発電装置。
【請求項８】
請求項２に記載の風力発電装置において、
前記風胴に、複数の開口を開設し、この開口より、空気を取入れる構成とした風力発電装置。
【請求項９】
請求項１に記載の風力発電装置において、
前記支柱を、折畳み自在とする構成、又は伸縮自在とする構成とした風力発電装置。
【発明の詳細な説明】
【技術分野】
【０００１】
本発明は、無風状態での発電を図ることを意図する風力発電装置に関する。
【背景技術】
【０００２】
周知の如く、この種の風力発電装置において、無風時に、羽根車を回転することが、効率面から要望される。しかし、今までに、この希望に沿った、風力発電装置は市販されていない。そこで、先行技術から、この希望に沿った、風力発電があるか否かを検討する。
【０００３】
先ず、気圧差により、羽根車を回転する発明として、特表２００７−５３３９５０号公報（文献１）において、［０１５４］には、次のような記載がある。「外部温度と内部温度との温度差により差圧が発生し、人工的な通風が起こり、この人工的な通風でタービンを駆動して、電気を生成すること」が開示されている。しかし、この発明は、ピラミッド型構造体を利用し、かつ上昇気流を利用する構造であり、風による発電は期待できない、又は、構造が大型化すること、構造体の形状が特定されること、等の問題を抱えている。そして、同様な考えとして、特開２００４−６０６２７号公報がある（文献２）。この発明も、文献１と同様な問題を抱えている。さらに、同様な考え方として、実開平５−３２７７３号公報がある（文献３）。この考案も、文献１と同様な問題を抱えている。
【０００４】
次に、車輌の走行力を利用して発電するシステムとして、特開２０１１−１５７８６５号公報（文献４）において、フロント（ディフューザー）のシュラウドと、ルーフ等に羽根を配置して発電する構造である。しかし、この発明は、風、即ち、走行スピード、及び／又は、高速時の際における、羽根と風の吸込量の調整等に関して、それぞれ配慮がなく、装置、発電機等の故障の原因となることが考えられ、問題となる。また、特開２００８−２１５２０８号公報（文献５）においては、フロントのシュラウドに羽根を配置して発電する構造であり、風量により、装置を制御するシステムの開示はあるが（明細書の［００５６］によるコントローラによる制御等）、その具体例がなく、実用に関して危惧する処である。
【０００５】
【特許文献１】特表２００７−５３３９５０号公報
【特許文献２】特開２００４−６０６２７号公報
【特許文献３】実開平５−３２７７３号公報
【特許文献４】特開２０１１−１５７８６５号公報
【特許文献４】特開２００８−２１５２０８号公報
【発明の概要】
【発明が解決しようとする課題】
【０００６】
上記に鑑み、本発明は、風力発電装置としての役割と、無風状態においても、発電ができる風力発電装置を提供する。その為に、圧力差を確実に生成することと、この圧力差を、簡易な装置で生成すること、等を目標とする。従って、この圧力差を、次の方法で生成する。請求項１に記載の「暖房部と常温部を、羽根車を、囲繞し、かつ対峙方向に設ける」構造とする。請求項２に記載の「故障が発生しないように、風、又は気候等の状態（弱風、中風、強風、又は台風等の災害）で、装置の故障を回避する」構造である。また、請求項３に記載の「故障が発生しないように、無風状態で、風を発生する」構造である。そして、請求項４に記載の「請求項２を確実に、かつ必要時に達成できる制御部を具備する」構造とする。さらに、請求項５に記載の「請求項１の暖房部と常温部を、風の流れ方向に設ける」構造とする。また、請求項６に記載の「請求項１の目的を達成するために、羽根車に対して、暖房部と常温部とを設ける位置を特定する」構造である。次に、請求項７に記載の「比熱差、薬品の反応熱、又は冷却熱、或いは冷却による温度差」による構造とする。さらに、請求項８に記載の「物理的な方法で、回転軸を回転し、羽根車を回転し、発電する」構造とする。請求項９に記載の「風胴を強風より保護する方法と、効率的な発電する」構造とする。また、請求項１０に記載の「風胴を強風より確実、かつ安全に保護する方法と、効率的な発電する」構造とする。請求項１１に記載の「風胴、及び／又は、支柱等を強風より確実、かつ安全に保護する方法と、効率的な発電する」構造とする。請求項１２に記載の「羽根車、及び／又は、翼体を強風より保護する方法と、効率的な発電する」構造とする。そして、請求項１３に記載の「従来の風力発電装置より、簡略で、かつ省エネルギーで、かつ低コストの風力発電装置とする」。
【課題を解決するための手段】
【０００７】
前記問題を解決するために、次のような請求項１−９に記載の発明とする。
【０００８】
請求項１は、発電機を備えた風力発電装置であって、
この風力発電装置は、支柱に設けた軸受けと、この軸受けに回転自在に設けた軸と、この軸に設けた羽根車と、前記軸に懸架したベルトと、このベルトが掛止される発電機のプーリーとを備えており、前記羽根車を収容する一本又は数本の支持杆に設けた風胴と、この風胴に設けた暖房部と、この暖房部の熱源となる、夏季の暖気、発電機に蓄電した電力の一部、又は地中熱による暖気、或いはボイラの熱気、地下水の温水、又は廃熱の何れかと、前記風胴に設けた常温部と、この常温部を常温に維持する手段となる、冬季の冷気、又は地中熱による冷気、或いは地下の冷水、又は廃冷気の何れかと、で構成するとともに、前記暖房部と、前記常温部とにより生成される温度差を確保するとともに、前記羽根車の一面側と他面側とに生成される圧力差を利用して、前記羽根車を回転可能とする風力発電装置において、
前記常温部を、前記風胴の長手方向の中心に設けた前記羽根車の羽根前側に設けるとともに、前記暖房部を、前記羽根車の羽根後側に設ける構成とした風力発電装置である。
【０００９】
請求項２は、請求項１に記載の風力発電装置において、
前記風胴を、固定側と可動側とで構成し、この固定側の自由端に、この可動側の基端を枢支し、この可動側を拡縮可能にする構成とした風力発電装置である。
【００１０】
請求項３は、請求項１に記載の風力発電装置において、
前記圧力差で、前記羽根車を回転する条件は、この羽根車が風で回転しない状況下とする構成とした風力発電装置である。
【００１１】
請求項４は、請求項１に記載の風力発電装置において、
前記暖房部への電力、暖気、又は熱の供給を、制御部でコントロールする構成とした風力発電装置である。
【００１３】
請求項５は、請求項１に記載の風力発電装置において、
前記暖房部と前記常温部を設ける前記風胴は、前記羽根車の外側に対峙して設けた帯状翼形構造の圧力差発生部であり、この圧力差発生部は、側面視して一面側・他面側の、それぞれの端部が、放射方向に反り上がり構造とする構成とした風力発電装置である。
【００１４】
請求項６は、請求項１に記載の風力発電装置において、
前記温度差は、比熱差、薬品の反応熱、又は冷却熱、或いは冷却による温度差とする構成とした風力発電装置である。
【００１５】
請求項７は、請求項１に記載の風力発電装置において、
前記支柱に回転自在に設けた回転軸が回転し、この回転で、トーションバー、スパイラルスプリング、反発機構に動力を蓄積し、クラッチ機構を介して、この回転軸を回転し、前記羽根車を回転する構成とした風力発電装置である。
【００１６】
請求項８は、請求項２に記載の風力発電装置において、
前記風胴に、複数の開口を開設し、この開口より、空気を取入れる構成とした風力発電装置である。
【００１７】
請求項９は、請求項１に記載の風力発電装置において、
前記支柱を、折畳み自在とする構成、又は伸縮自在とする構成とした風力発電装置である。
【発明の効果】
【００２１】
請求項１の発明は、発電機を備えた風力発電装置であって、
風力発電装置は、支柱に設けた軸受けと、軸受けに回転自在に設けた軸と、軸に設けた羽根車と、軸に懸架したベルトと、ベルトが掛止される発電機のプーリーとを備えており、羽根車を収容する一本又は数本の支持杆に設けた風胴と、風胴に設けた暖房部と、暖房部の熱源となる、夏季の暖気、発電機に蓄電した電力の一部、又は地中熱による暖気、或いはボイラの熱気、地下水の温水、又は廃熱の何れかと、風胴に設けた常温部と、常温部を常温に維持する手段となる、冬季の冷気、又は地中熱による冷気、或いは地下の冷水、又は廃冷気の何れかと、で構成するとともに、暖房部と、常温部とにより生成される温度差を確保するとともに、羽根車の一面側と他面側とに生成される圧力差を利用して、羽根車を回転可能とする風力発電装置において、
常温部を、風胴の長手方向の中心に設けた羽根車の羽根前側に設けるとともに、暖房部を、羽根車の羽根後側に設ける構成とした風力発電装置である。
【００２２】
この請求項１では、「暖房部と常温部を、羽根車を、囲繞し、かつ対峙方向に設ける」構造とすることで、確実に風を生成し、発電を図ることを特徴とする。
【００２３】
請求項２の発明は、請求項１に記載の風力発電装置において、
前記風胴を、固定側と可動側とで構成し、固定側の自由端に、可動側の基端を枢支し、可動側を拡縮可能にする構成とした風力発電装置である。
【００２４】
この請求項２では、「故障が発生しないように、風、又は気候等の状態（弱風、中風、強風、又は台風等の災害）で、装置の故障を回避する」ことを特徴とする。
【００２５】
請求項３の発明は、請求項１に記載の風力発電装置において、
圧力差で、羽根車を回転する条件は、羽根車が風で回転しない状況下とする構成とした風力発電装置である。
【００２６】
この請求項３では、「故障が発生しないように、無風状態で、風を発生する」ことを特徴とする。
【００２７】
請求項４の発明は、請求項１に記載の風力発電装置において、
暖房部への電力、暖気、又は熱の供給を、制御部でコントロールする構成とした風力発電装置である。
【００２８】
この請求項４では、「請求項２を確実に、かつ必要時に達成できる制御部を具備した」ことを特徴とする。
【００３１】
請求項５の発明は、請求項１に記載の風力発電装置において、
暖房部と常温部を設ける風胴は、羽根車の外側に対峙して設けた帯状翼形構造の圧力差発生部であり、圧力差発生部は、側面視して一面側・他面側の、それぞれの端部が、放射方向に反り上がり構造とする構成とした風力発電装置である。
【００３２】
この請求項５では、「請求項１の目的を達成するために、風胴構造を特定した」ことを特徴とする。
【００３３】
請求項６は、請求項１に記載の風力発電装置において、
温度差は、比熱差、薬品の反応熱、又は冷却熱、或いは冷却による温度差とする構成とした風力発電装置である。
【００３４】
この請求項６では、「比熱差、薬品の反応熱、又は冷却熱、或いは冷却による温度差」によることを特徴とする。
【００３５】
請求項７は、請求項１に記載の風力発電装置において、
支柱に回転自在に設けた回転軸が回転し、回転で、トーションバー、スパイラルスプリング、反発機構に動力を蓄積し、クラッチ機構を介して、回転軸を回転し、羽根車を回転する構成とした風力発電装置である。
【００３６】
この請求項７では、「物理的な方法で、回転軸を回転し、羽根車を回転し、発電する」ことを特徴とする。
【００３７】
請求項８は、請求項２に記載の風力発電装置において、
風胴に、複数の開口を開設し、開口より、空気を取入れる構成とした風力発電装置である。
【００３８】
この請求項８では、「風胴を強風より保護する方法と、効率的な発電する」ことを特徴とする。
【００３９】
請求項９は、請求項１に記載の風力発電装置において、
支柱を、折畳み自在とする構成、又は伸縮自在とする構成とした風力発電装置である。
【００４０】
この請求項９では、「支柱の位置等を変更して、自然風を有効利用できる」ことを特徴とする。
【図面の簡単な説明】
【００４７】
【図１】本発明の第一実施例の一部省略（以下、省略する）の概念模式図
【図１−１】図１の他の例であり、羽根車が、必要時（例えば、強風時）に撓み可能とする構造を示した概念模式図
【図１−１−１】風胴の可動側が、可動し、この圧力発生部、及び／又は羽根等の風力発電装置が、風量（風速）の強中弱（以下、全体を総称する場合には、強弱等とする）に対応できる構造の第一実施例の第一例の微風時の最大開口状態を示した模式図
【図１−１−２】図１−１−１の中風時における羽根車をやや閉めた中間開口状態を示した模式図
【図１−１−３】図１−１−１の中風時における羽根車を中間の位置に閉めた小開口状態を示した模式図
【図１−１−４】図１−１−１の強風時における絞込み閉めた最小開口状態を示した模式図
【図１−１−５】図１−１−１の最大強風時、又は障害時（鳥、物等の飛翔、虫の発生、）における閉塞状態を示した模式図
【図１−２】風胴の可動側が、可動し、かつこの一面側に孔（開口）を備えた、この孔が大きい構造であって、第一実施例の第二例の中風時の小開口状態を示した模式図
【図１−２−１】図１−２で示した孔を閉塞する手段（カバー板、ガード板、シャツタ等の開閉手段）を示した模式図であり、（イ）はシャツタ、（ロ）は背面に設けた開閉手段（ガード板）、（ハ）は前面に設けた開閉手段、をそれぞれ示している
【図１−３】風胴の可動側が、可動し、かつこの一面側に孔を備えた、この孔が小さい構造であって、第一実施例の第三例の中風時の小開口状態を示した模式図
【図１−４−１】風胴の前面に到り、かつ羽根車の軸方向の角度を可変可能とする構造であって、第一実施例の第四例を示した側面図
【図１−４−２】図１−４−１の正面図
【図１−５】風胴を強風から守るために、その支柱が折畳みできる構造であって、第一実施例の第五例の強風時の状態を示した模式図
【図１−５−１】図１−５の風胴に、複数の開口を設け、強風時の対応とか、その過程で空気を取入れ、発電可能とする状態を示した模式図
【図１−６】風胴を強風から守るために、その支柱が伸縮する構造であって、第一実施例の第六例の強風時の状態を示した模式図
【図１−７】風胴レスであって、支持杆を利用して、暖房部と常温部を設置した構造であって、第一実施例の第七例を示した模式図
【図２−１】羽根にターボファンを併設した第二実施例の概念模式図
【図２−２】図２−１のターボファンのＱ視した背面図
【図３−１】羽根にスクリュー、及び、軸駆動用翼体を併設した第三実施例の概念模式図
【図３−２】図３−１の翼体のＰ視した背面図であり、この翼体に孔を開設した（ロ）と（ハ）、又は開設しない（イ）を、それぞれ示している
【図３−３】図３−１の翼体とクラッチとの関係を示した拡大概念模式図
【図３−４】第三実施例の他の例であり（翼体単独）、風胴に翼体を設けるに際して、この翼体を保護する保護材を、翼体と支柱との間に付設する構造とした概念模式図
【図３−４−１】翼体と他の開閉手段（孔を備えた開閉手段）との関係を示した概念模式図
【図３−４−２】図３−４−１の翼体の孔と、開閉手段の孔との関係を、順次示した平面概念模式図
【図３−５】（Ｘ）羽根車とターボファン、並びに翼体との各関係を示した図表、（Ｙ）常温部と暖房部、並びに冷房部の活用と組合せを示した図表、（Ｚ）風胴と羽根車、開閉手段（シャツタ）、並びに翼体に開設した孔、開口（孔）との組合せを示した図表
【図３−５−１】図３−５に示した、（Ｘ）〜（Ｚ）において、組合せのパターンの一例を示した図表
【図４−１】羽根にターボファンと、スクリュー、及び、翼体を併設した第四実施例の概念模式図
【図４−２】図４−１に示した第四実施例等の発電能力を示した図表
【図５−１−１】多連式の羽根車（軸流圧縮機方式）を備えた軸流圧縮方式の発電機の第五実施例を示した模式図
【図５−１−２】多連式の羽根車を備えた軸流圧縮方式の発電機の他の第五実施例（板部に孔を備えた構造）を示した模式図
【図５−２−１】多連式の羽根車を備えた軸流圧縮方式の発電機の第六実施例を示した模式図
【図５−２−２】多連式の羽根車を備えた軸流圧縮方式の発電機の他の第六実施例（板部に孔を備えた構造）を示した模式図
【図５−３】多連式の羽根車を備えた軸流圧縮方式の発電機の第七実施例を示した模式図
【図５−４】多連式の羽根車を備えた軸流圧縮方式の発電機の第八実施例を示した模式図
【図５−５】多連式の羽根車を備えた軸流圧縮方式の発電機の第九実施例を示した模式図
【図６】前記図１（尚、前記図１−１−１〜図１−３に示した各例も対応可能）を一覧表に示し、かつ風量を考慮した場合に、最適な組合せと、効率的、かつ故障を回避できる最適な状況を選択できる図表
【図７−１】暖房部への熱源（発電機からの電気による熱）供給手段を示した模式図
【図７−２】暖房部への熱源（地中熱）供給手段を示した模式図
【図７−３】暖房部への熱源（熱交換機）供給手段を示した模式図
【図７−４】暖房部への熱源（ボイラー）供給手段を示した模式図
【図７−５】暖房部への熱源（熱湯、温泉水）供給手段を示した模式図
【図７−６】暖房部への熱源（工場廃熱）供給手段を示した模式図
【図７−７】暖房部への熱源（ソーラーパネル）供給手段を示した模式図
【図７−８】常温部への低温（冷媒）供給手段を示した模式図
【図７−９】常温部への低温（地下水）供給手段を示した模式図
【図８−１】比熱差により圧力差を生成する過程を示した模式図
【図８−２】薬品の反応熱により圧力差を生成する過程を示した模式図
【図８−３】冷却熱により圧力差を生成する過程を示した模式図
【図９】図１の流れを示したフローチャート
【図１０】図１のフローチャート
【図１１】本発明の暖房部、常温部を維持するに際し、その好ましい一例を示した図表
【発明を実施するための形態】
【００４８】
以下、本発明の実施例を図面に基づいて説明する。
【００４９】
１は風力発電装置で、この風力発電装置１は、支柱２に設けた軸受け３と、この軸受け３に回転自在に設けた軸５と、この軸５に設けた自然風Ａで回る（風Ａが有る場合は勿論回転するが、特に、風Ａがない場合、無風状態でも、人工風Ｂで回転することが特徴である）羽根車６と、前記軸５に懸架したベルト７と、このベルト７が掛止される発電機８のプーリー８００とを主構成とする。
【００５０】
この羽根車６には、間隔を持って（羽根車６を囲繞するように）、図示しない、一本又は数本の支持杆を介して風胴１０が設けられており、この風胴１０（圧力発生部）は、無風状態の際に、人工風Ｂを作り出す役割がある。この一例では、風胴１０の一方側１０−１を暖める暖房部１６と、風胴１０の他方側１０−２を冷すか、暖房部１６に対して低温を維持する常温部１７とを設ける構造であり、この暖房部１６と常温部１７との間に圧力差Ｄを作り出す構造である。そして、暖房部１６と常温部１７を、作り出す構造としては、風力発電装置の風胴１０が固定方式では、例えば、図１では、暖房部１６を、一方側１０−１（風の流れ端側）に形成し、また、常温部１７を、他方側１０−２（風の受入れ側）に形成する（図示しないが、逆パターンも可能である。以下同じ）。また、その他として、風力発電装置の風胴１０が可動方式では、例えば、図１−１−１〜図１−１−３等では、暖房部１６を、風力発電装置の風胴１０の固定側１０ａ（風の流れ端側）に設け、また、常温部１７を、風力発電装置の風胴１０の可動側１０ｂ（風の受入れ側）に設け構成とした（逆パターンをあり得る）。この可動側１０ｂは、枢支部１０００を介して、固定側１０ａに可動自在に支持される。従って、風胴１０の開口部Ｃは、図１−１−１〜図１−２と、図１−３等の如く、大中小に開くことと、弱風（微風を含む）、中風、又は強風に、それぞれ対応可能とする。図１−１−５の強風時には、開口部Ｃを閉塞する。そして、この風胴１０の好ましい一例は、羽根車６の外側に対峙して設けた帯状翼形構造の圧力差発生部であり、圧力差発生部は、側面視して一面側６ａ・他面側６ｂの、それぞれの端部が、放射方向に反り上がり構造とする。これにより、人工風Ｂのスムーズな流れ、及び／又は、風Ａの受入れと流れが確保できる。また、発電の効率化に寄与できる。
【００５１】
本発明の風胴１０と羽根車６等で構成される発電発生部の第一実施例（図１〜図１−７）〜第九実施例（図５−５）と、他の第五実施例（図５−１−２）を説明する。
【００５２】
先ず、図１〜図５−５（一部は図表あり）において、ファンネル方式：シュラウド（ベルマウス）を採用した羽根車６の実施例を順次説明する。以下、無風状態（無風時）の人工風Ｂを主体として説明するが、自然風Ａもこれに準ずるので、説明は省略する。
【００５３】
◎  第一実施例の基本的な構造を示した、図１と、その他の図１−１において、風胴１０は、羽根車６の外側に対峙して設けた、端面視して、帯状翼形構造であり、一方側１０−１・他方側１０−２の、それぞれの端部が、放射方向に反り上がり構造とする。そして、この風胴１０の内側には、羽根車６が設けられる構造とし、人工風Ｂを確実に、かつこの風胴１０の内側に、望ましくは、均等に、人工風Ｂを働かせる。その手段が、常温部１７と暖房部１６の構造であり、例えば、常温部１７を、羽根車６の羽根前側（図面で、風胴１０の中心より向って左側、例えば、他方側１０−２の内側）に、また、暖房部１６を、羽根車６の軸芯方向に向った羽根後側（図面で、風胴１０の中心より向って右側、例えば、一方側１０−１の内側）に設ける。この常温部１７と暖房部１６との間に圧力差Ｄ（気圧差）を形成することを特徴とする。即ち、暖房部１６は、暖房状態に維持した条件下で、常温部１７は、暖房状態より、低く構成し、風胴１０の一方側１０−１と他方側１０−２で形成した圧力差Ｄを利用して、羽根車６を回転する。この羽根車６の回転で発電機８を駆動して電気を生成する。そして、この暖房部１６と常温部１７が、所定の間隔で対峙し、この対峙間に、羽根車６が配備される構造である。また、この対峙間に生成される人工風Ｂにより、羽根車６が回転する構造を特徴とする。そして、この第一実施例を始めとして、本発明は、この暖房部１６と常温部１７は、自然エネルギーの利用との観点から、夏季は、常温部１７を、例えば、地中熱による冷気、或いは熱交換機、或いは地下水、又は廃冷気による構成された冷気で常温に維持する（外気温より低く維持する）。これに対して、暖房部１６は、外気温の状態（気象条件）で、気圧差Ｄを構成する。また、この夏季でも、常温部１７を、外気温とし、暖房部１６を、暖めることで、気圧差Ｄを構成する。一方、冬季は、常温部１７を、例えば、外気温に維持する。これに対して、暖房部１６を、暖めて、気圧差Ｄを構成する。また、この冬季でも、常温部１７を、地中熱による冷気、或いは熱交換機、或いは地下水、又は廃冷気による構成された冷気で常温に維持する（外気温より低く維持する）。これに対して、暖房部１６を、外気温の状態で、気圧差Ｄを構成する。以上の説明は、一例であり、暖房部１６と常温部１７とにより、気圧差Ｄが形成される構造は、本発明の範疇である。
【００５４】
また、◎  第一実施例の第一例を示す、図１−１−１〜１−１−５において、風胴１０の固定側１０ａ（図面で、風胴１０の中心より向って右側）に枢支部１０００を介して可動側１０ｂ（図面で、風胴１０の中心より向って左側）を設ける。この風胴１０は、側面視して固定側１０ａ・可動側１０ｂの、それぞれの端部が、放射方向に反り上がり構造とする。そして、この可動側１０ｂが、枢支部１０００を支点として、固定側１０ａに対して可動する構造である。従って、この可動側１０ｂの可動を介して、微風時から強風時の風Ａの状況（風量、風速、又はその他とし、例えば、雨水も同様と考えられる）に対応可能とする。その一例が、図示の「イ」〜「ホ」となり、可動側１０ｂの開口部Ｃの開度が、例えば、最大開口「イ」と、中間開口「ロ」と、小開口「ハ」、並びに最小開口「ニ」と、閉塞「ホ」等となることを特徴とする。この最大開口「イ」、中間開口「ロ」、小開口「ハ」、並びに最小開口「ニ」と、閉塞「ホ」等により、風量調整、又は風速調整に役立てること、発電量の適切な確保を図ること、又はこれらの調整を図ること、さらには強風時の故障回避を図ること、等にある。◎  第一実施例の第二例を示す、図１−２において、前述した第一例と、基本的には同じ構造であり、その相違点は、可動側１０ｂの板部１０ｂ１に孔１００１（開口）を複数個設け（開設し）、風Ａを逃がす工夫をすることである。そして、この孔１００１を、小開口「ハ」とすることで、例えば、この風Ａの抵抗を緩和すること、又は中風時の故障回避すること、等には、極めて有効である。尚、図１−２−１の（イ）〜（ハ）では、羽根車６に開閉手段１５を併設した例を示しており、（イ）はシャツタで、孔１２０５を開閉する例を、（ロ）は羽根車６の背面に設けたガード板で、孔１２０５を開閉する例を、（イ）は羽根車６の前面に設けたガード板で、孔１２０５を開閉する例を、それぞれ示しており、後述する図３−４−２に準ずる。◎  第一実施例の第三例を示す、図１−３において、前述した第二例と、基本的には同じ構造であり、その相違点は、孔１００１を、小開口「ハ」とするが、この孔１００１の数が多いことである。従って、その動作と効果は、第二例と、略同じとなる。◎  第一実施例の第四例を示す、図１−４−１〜図１−５−１において、軸５に対して羽根車６の各板部６００が支点６００ａを利用して揺動する構造とし、弱風時から強風時の風Ａに対応して、板部６００の角度を、垂直から傾斜状態に変更し、風量、又は風速に、有効に対応すること、又は故障回避等を図ることを意図する。そして、図１−５−１では、風胴１０に設けた複数の開口１００２を介して、風胴１０を強風の風Ａ等より保護する。また、効率的な発電をする。◎  第一実施例の第五例を示す、図１−５において、強風時に、支柱２を折畳み２００（折曲げ）、強風時の風Ａの衝撃緩和を図ること、又は故障回避に役立つこと、等の実益がある。尚、人工風Ｂでも、時により、あり得る（他の例も同じ）。◎  第一実施例の第六例を示す、図１−６において、強風時に、支柱２を収縮２０１ａ（入れ子式に収容）することで、強風時の風Ａの衝撃緩和を図ること、又は故障回避に役立つこと、等の実益がある。また、必要時には、支柱２を伸張２０１ｂする。所謂、支柱２を状況に応じて伸縮する。尚、前記可動側１０ｂの最大開口「イ」、中間開口「ロ」、小開口「ハ」等の操作は、例えば、この可動側１０ｂをフレキシブル構造として対応するか、又は重畳方式を利用して対応する構造が一例として挙げられるが、限定されない。図中９は、軸５に設けたハズミ車であり、軸５と風胴１０、又は羽根車６等のバランスと安定性を図る。◎  第一実施例の第七例を示す、図１−７において、風胴１０を設けず、支持杆に暖房部１６と、支持杆に常温部１７を設ける構造であり、装置の簡略化と、軽量化、又は低コスト等を意図する。
【００５５】
図２−１と図２−２の第二実施例では、羽根車６の後側（図示しないが、前側の例もあり得る）の軸５に、例えば、羽根車６に対して、小型（図示しないが、同径、又は大型も可能）のターボファン１１を付設した構造であり、発電効率と、働きを終えた風を再利用する構造である。従って、発電の効率化と、風を有効利用できる。尚、図１−２等の孔１００１を備えた構造には有効である。
【００５６】
図３−１と図３−４の第三実施例では、ターボファン１１の後側（図示しないが、前側の例もあり得る）の軸５に套嵌固止したスリーブ式の螺軸５００、例えば、羽根車６に対して、大型（図示しないが、同径、又は小型も可能）と、この螺軸５００に螺合する螺軸部１２００（クラッチ）を備えた、可撓性、又は剛性でなる、例えば、円板形状の軸駆動用翼体１２を付設した構造であり、発電効率と、働きを終えた風を再利用する構造である（第三実施例の他の例、図３−４の如く、翼体１２単独での発電もあり得る）。従って、発電の効率化と、風Ａを有効利用できる。尚、図１−２等の孔１００１を備えた構造には有効である。この翼体１２（翼体１２は回転しない）、及び、その螺軸部１２００（ピニオン）が風でＸ矢視方向に押圧されることで、螺軸部１２００に螺合する螺軸５００（ラック）が回転する。この回転を、軸５に伝達する構造であり、この伝達は、螺軸５００の鍔片５００ａに設けた差込み孔５００ｂと、軸５の鍔片５ａに設けた差込み孔５ｂとに差込まれるピンクラッチ１２０１を利用する。その一例を詳述すると、このピンクラッチ１２０１を、ソレノイド１２０２と、後述する制御部１９のＣＰＵ１９００とを利用して、前後動して、差込み孔５ｂ、５００ｂへの出入れを行い、螺軸５００と軸５との連繋と、この連係解除を図る。その他として、例えば、軸５の鍔片５ａと、螺軸５００の鍔片５００ａとの間には、平板クラッチ５０１を設け、この軸５と螺軸５００との接離を図ことも可能である。そして、この回転で、後述するクラッチ機構（螺軸５００と軸５とによる機構）を利用して、軸５を駆動し、この駆動力を発電機８の駆動源とすることを特徴とし、前記第二実施例の作用と効果に準ずる。また、図示の如く、両者を併設し、軸５と螺軸５００との接離の確実性を図ることが望ましい。この第三の実施例では、風量の有効利用のみでなく、他の手段と機構を利用することで、発電効率と、安定した発電を図ること、等を目的とする。図中１２０３は螺軸部１２００と翼体１２を戻すスプリングで、螺軸５００の外側に捲装されるとともに、螺軸部１２００と鍔片５００ａの間に設けられる。このスプリング１２０３は、螺軸部１２００と翼体１２が、風で押圧されるときに、圧縮され、その押圧が解除されたときに、反発する構造である。このスプリング１２０３の反発は、螺軸部１２００が、後端側（図面において右側）に押圧された状態後に、この螺軸部１２００（翼体１２）を戻す（Ｙ矢視方向に戻る）役割がある。但し、その前提条件として、ピンクラッチ１２０１を、差込み孔５００ｂより脱抜する動作が必要である。また、図中１２０４はピンクラッチ１２０１を戻すスプリングで、このピンクラッチ１２０１に捲装されるとともに、鍔片５ａとピンクラッチ１２０１の鍔片との間に設けられる。図３−２は、翼体１２の各例を示しており、孔１２０５を開設しない例が（イ）で、開設する例が、（ロ）と（ハ）であり、（ロ）は孔１２０５の数が少ない例を、また、（ロ）は孔１２０５の数が多い例を、それぞれ示しているが、どれも一例であり限定されないことと、この孔１２０５を開設した構造は、風Ａの通過を許す。これにより、例えば、強風時（強雨時を含む）、その他の場合に、翼体１２、及び／又は、風胴１０、軸５、或いはベルト７、発電機８等を保護する。また、孔１２０５の数は、風Ａの受入れ量、又は通過量を制御する。さらに翼体１２の保護と、発電量の大小に好影響を与えることが考えられる。尚、第三実施例の他の例、図３−４では、構造の簡略化と、低コスト化等を意図する。そして、第三実施例では、図示しないが、翼体１２の構造では、風胴１０に、暖房部１６と常温部１７を設けない実施例もあり得る（風Ａによる発電である）。そして、第三実施例において、図３−４−１と図３−４−２では、翼体１２に開閉手段１５（孔を備えた開閉手段）を併設する構造とし、この開閉手段１５を図示しない、駆動装置で適宜回転し、図３−４−２に順次示した如く、開閉手段１５に適宜間隔で開設した孔１５００と、翼体１２に同様に開設した孔１２０５とを整合、又は閉塞し、この孔１２０５の開度を、拡縮することで、風Ａの受入れ量、又は通過量を制御する。この制御は、翼体１２の保護と、発電量の大小に好影響を与えることが考えられる。前記図３−４等では、翼体１２を、例えば、伸縮する保護材１３で保護する。
【００５７】
尚、図３−５の（Ｘ）羽根車６とターボファン１１、並びに翼体１２との各関係を示した図表であり、組合せの例を○で示すが、少なくとも７通りのパターンが考えられる。また（Ｙ）常温部１７と暖房部１６、並びに冷房部の活用と組合せを示した図表であり、組合せの例を○で示すが、少なくとも６通りのパターンが考えられる。（Ｚ）風胴１０と羽根車６、開閉手段１５、並びに翼体１２に開設した開口１００２と、孔１２０５、１５００との組合せを示した図表であり、組合せの例を○で示すが、少なくとも１５通りのパターンが考えられる。また、図３−５−１は、前記（Ｘ）と、（Ｙ）と、（Ｚ）の組合せパターンの一例を示したものである。
【００５８】
図４−１は、第四実施例であり、第一実施例の羽根車６と、第二実施例のターボファン１１と、第三実施例の翼体１２、及び、クラッチ機構の併設構造とを組合わせた、最も多機能の（アクティブ）風力発電装置を示している。従って、その発電効率と、風量を最大限に利用すること、並びに大規模発電に道を拓くことが考えられる。また、最も実用的と考えられる。この例における各構造は、前述の例に準ずる。
【００５９】
また、図４−２は、前記第一実施例の羽根車６と、第二実施例のターボファン１１と、第三実施例の翼体１２、及び、クラッチ機構の併設とでなる、それぞれの風力発電装置に関する発電量を試算した図表であり、（Ｅ）が、羽根車６による発電量を、（Ｆ）が、ターボファン１１による発電量を、それぞれ示す。また、（Ｇ）が、翼体１２、及び、クラッチ機構を併設した構造の発電量を示している。しかし、この翼体１２、及び、クラッチ機構を併設した構造では、螺軸部１２００の摩擦抵抗、スプリング１２０３の抗力等のマイナス要件が損失量となり、一律な発電量が確保されない（低下する）ことか考えられる。この点を改良することが望ましい。そして、総合的に判断すると、前記図表の如く、（Ｅ）と（Ｆ）は、発電量が安定するが、（Ｇ１）では、前述の如く、差引き損失量が発生することが、幾分、改良の余地がある。尚、（Ｈ）は、その他、例えば、後述する、物理的な反発手段等による発電量の確保が挙げられる。
【００６０】
図５−１−１〜図５−５において、軸流圧縮機（ターボファン）を意図する羽根車６の実施例を順次説明する。先ず、図５−１−１〜図５−２−２は、第五・第六実施例であり、羽根車６を多連式（複数基）、軸５に設けた構造である。この構造では、羽根車６の径を順次変更することで、風を有効に受け得る構造とする。また、図示しないが、図５−１−１と、図５−１−２の例では、羽根車６が、大から小に径を変更したことを考慮し、板部６００が無垢（孔なし）の構造と、この板部６００（羽根板部）に孔６０１を開設することも実用的である。この孔６０１を利用することで、風を有効に利用でき、次の羽根車６の動力として利用する。また、図５−２−１と図５−２−２は、図５−１−１と図５−１−２の逆パターンを示しており、その機能と作用等は前述の例に準ずる。次に、図５−３は、第七実施例であり、羽根車６をタービン翼列方式とすることと、多連式とする構造であり、風胴１０内において、軸流圧縮機として利用し、発電する。図５−４は、第八実施例であり、フランシス水車の構造を利用することを意図する。但し、この例では、環状板部６０２の板部６００間（板部６００には間隔をおいて）には、開口６０３を開設し、風の流れを確保し、この多連式の構造に対応する。その他は、第七実施例に準ずる。さらに、図５−５は、第九実施例であり、カービックカップリングの構造を利用することを意図する。その他は、第八実施例に準ずる。但し、この例では、環状板部６０２の板部６００間には、開口６０３を開設し、風の流れを確保し、この多連式の構造に対応する。その他、図示しないが、翼形ファン、後向き羽根ファン、その他のランナ方式等の構造を採用することもあり得る。
【００６１】
以上の第二実施例〜第六実施例では、風胴１０に、暖房部１６、及び常温部１７を設けない、通常の風力発電装置の構造でも可能と考えられる。
【００６２】
尚、図６は、前述した、図１等と、図２−１に示したターボファン１１による構造と、図４−１に示した翼体１２、及び、クラッチ機構とを併設した構造とを対比した図表であり、前述した各構造の組合せを利用することで、表題に風量調整と、風車構造を、横欄に前記各構造のそれぞれを区画して示し、また、縦欄に風量の状態を示している。そして、対応する箇所を○で示す。
【００６３】
そこで、図７−１〜図７−９において、暖房部１６の暖房状態に維持する手段と、また、常温部１７を、暖房状態より、低く維持する手段とを示した。この各例は、維持管理の容易化、低コスト化、又は自然エネルギーの活用と、環境維持、或いは効率的な運用等の基本的な構成を採用することを意図する。そして、無風状態を、センサー１８で検知し、制御部１９を介して、暖房部１６の暖房の指示、及び／又は、常温部１７を、暖房状態より、低く維持する指示を図る。また、センサー１８が風Ａを検知すると、制御部１９を介して、前記指示を解除する指令を発する。その後は、この指令の繰返しである。従って、風Ａの状況に左右されず、発電機８を回転できる。
【００６４】
◎  図７−１は、暖房部１６への熱源供給手段であって、図７−１と、図５に示したフローチャートと関連する。即ち、発電機８から一部の電気、バッテリー２０から電気、又は補助バッテリー２０ａ（効率化が図れれば可能、以下同じ）、電気自動車、家庭電源等の余剰電気を利用して、変換器を介して熱源を供給（融通）する構造である。
【００６５】
◎  図７−２は、暖房部１６への熱源供給手段であって、図に示した地中熱２１を利用して、熱源を供給する。自然エネルギーの利用であり、環境に貢献できる。図中２２はポンプを示す。
【００６６】
◎  図７−３は、暖房部１６への熱源供給手段であって、図示した熱交換器２３を利用して、空気を暖気に変換して熱源とし、この熱源を供給する。自然エネルギーの利用であり、環境に貢献できる。
【００６７】
◎  図７−４は、暖房部１６への熱源供給手段であって、図示したボイラー２５、その廃熱を利用して、暖気、温水等の熱源を供給する。廃熱では、自然エネルギーの利用であり、環境に貢献できる。
【００６８】
◎  図７−５は、暖房部１６への熱源供給手段であって、図示した熱湯、温泉水２６を利用して、暖気、温水等の熱源を供給する。自然エネルギーの利用であり、環境に貢献できる。
【００６９】
◎  図７−６は、暖房部１６への熱源供給手段であって、図示した工場等の暖気、温水等の廃熱２７を利用して、暖気、温水等の熱源を供給する。自然エネルギーの利用であり、環境に貢献できる。
【００７０】
◎  図７−７は、暖房部１６への熱源供給手段であって、図示したソーラーパネル２８を利用して、暖気、温水等の熱源を供給する。自然エネルギーの利用であり、環境に貢献できる。
【００７１】
◎  図７−８は、常温部１７への冷温供給手段であって、図示した冷媒装置３０より冷媒を利用して、冷気、冷水等の冷却源（冷温源）を供給する。
【００７２】
◎  図７−９は、常温部１７への冷温供給手段であって、図示した地中よりより地下水３１を利用して、冷気、冷水等の冷却源を供給する。自然エネルギーの利用であり、環境に貢献できる。この例では、効率的な運用を図るために、例えば、夏季等の外気が高い条件、熱帯地方、山間部等が望ましい。
【００７３】
以上のような、各例を実施することで、本発明は、熱、雨、又は地中等の、全ての自然エネルギーであり、かつ環境に優しいこと、又は気候条件、設置場所等の条件に関係なく、最適な圧力差Ｄを生成し、発電できること、等の特徴を有する。尚、暖房部１６を夏季の気象条件を利用する例では、常温部１７を冷却する。また、常温部１７を、冬季の気象条件を利用する例では、暖房部１６を暖める。
【００７４】
この暖房部１６と常温部１７を作出す手段として、例えば、図７−１〜図７−７による暖房部１６への熱源供給手段による暖めと、図７−８、図７−９による常温部１７への冷温供給手段との組合せが効率的である。しかし、図７−１〜図７−９の各例の単独使用と、それぞれの選択使用等の如く、必要によって、それぞれ組合せと、選択した使用が可能であるが、何れにせよ、暖房部１６と常温部１７とにより、気圧差Ｄが形成される構造であれば、何れも、採用可能である。
【００７５】
また、図８−１〜図８−３において、その他の暖房部１６の暖房状態に維持する手段と、また、その他の常温部１７を、暖房状態より、低く維持する手段を示した。この各例は、化学的な手段を利用して、圧力差Ｄを構成するものであり、例えば、図８−１では、比熱差により圧力差Ｄを生成し、また、図８−２では、薬品の反応熱により圧力差Ｄを生成し、さらに、図８−３では、前述した冷却熱により圧力差Ｄを生成した。その他は、前述の例に準ずる。
【００７６】
また、図９は、無風時の羽根車６の回転を説明する理論図であり、（ＳＴ−１）では、暖房部１６への電力、暖気、熱等の熱源の供給である。この供給で、（ＳＴ−２）の如く、暖房部１６の周辺空気が暖められ、常温部１７との間に圧力差Ｄが形成されることで、人工風Ｂが発生する。これにより、（ＳＴ−３）、（ＳＴ−４）の如く、羽根車６が回転し、発電機８を介して発電する。この電気は、（ＳＴ−５）の如く、バッテリー２０に蓄電される。
【００７７】
尚、図示しないが、羽根車６、支柱２を、制御部１９のＣＰＵ１９００からの指令と操作、又は遠隔操作、或いは自動式による、風向き方向（傾斜角度、必要により首振り・旋回動作）に可動することもできる。また、図示しない、移動する基台を利用して、適宜、位置に移動すること、又は向きを変更すること、等も可能である。そして、風胴１０の可動は、制御部１９のＣＰＵ１９００からの指令で、シリンダー、ワイヤとモータ、又はアクチュエータ等の手段を利用して行うが、限定されない。また、本発明と目的、効果、又は特徴が合致する構造とか、その変更例は、本発明の範疇である。尚、風Ａで羽根車６が回転する状態では、制御部１９のＣＰＵ１９００からの指令で、暖房部１６、及び／又は、常温部１７の働きを停止する。
【００７８】
また、図示しないが、軸５の回転を、物理的な反発手段、例えば、トーションバー、スパイラルスプリング、反発機構に反発動力として蓄積する。そして、必要時に、この反発動力、及び／又は、クラッチ機構を介して、軸５を回転し、発電することも可能である。
【符号の説明】
【００７９】
１            風力発電装置
２            支柱
２００        折畳み
２０１ａ      収縮
２０１ｂ      伸張
３            軸受け
５            軸
５ａ          鍔片
５ｂ          差込み孔
５００        螺軸
５００ａ      鍔片
５００ｂ      差込み孔
５０１        平板クラッチ
６            羽根車
６ａ          一面側
６ｂ          他面側
６００        板部
６００ａ      支点
６０１        孔
６０２        環状板部
６０３        開口
７            ベルト
８            発電機
８００        プーリー
９            ハズミ車
１０          風胴（圧力差発生部）
１０−１      一方側
１０−２      他方側
１０ａ        固定側
１０ｂ        可動側
１０ｂ１      板部
１０００      枢支部
１００１      孔
１００２      開口
１１          ターボファン
１２          翼体
１２００      螺軸部（クラッチ）
１２０１      ピンクラッチ
１２０２      ソレノイド
１２０３      スプリング
１２０４      スプリング
１２０５      孔
１３          保護材
１５          開閉手段
１５００      孔
１６          暖房部
１７          常温部
１８          センサー
１９          制御部
１９００      ＣＰＵ
２０          バッテリー
２０ａ        補助バッテリー
２１          地中熱
２２          ポンプ
２３          熱交換器
２５          ボイラー
２６          温泉水
２７          廃熱
２８          ソーラーパネル
３０          冷媒装置
３１          地下水
Ａ            風
Ｂ            人工風
Ｃ            開口部
Ｄ            圧力差
【図１】
0006042617.tif 000002
【図１−１】
0006042617.tif 000003
【図１−１−１】
0006042617.tif 000004
【図１−１−２】
0006042617.tif 000005
【図１−１−３】
0006042617.tif 000006
【図１−１−４】
0006042617.tif 000007
【図１−１−５】
0006042617.tif 000008
【図１−２】
0006042617.tif 000009
【図１−２−１】
0006042617.tif 000010
【図１−３】
0006042617.tif 000011
【図１−４−１】
0006042617.tif 000012
【図１−４−２】
0006042617.tif 000013
【図１−５】
0006042617.tif 000014
【図１−５−１】
0006042617.tif 000015
【図１−６】
0006042617.tif 000016
【図１−７】
0006042617.tif 000017
【図２−１】
0006042617.tif 000018
【図２−２】
0006042617.tif 000019
【図３−１】
0006042617.tif 000020
【図３−２】
0006042617.tif 000021
【図３−３】
0006042617.tif 000022
【図３−４】
0006042617.tif 000023
【図３−４−１】
0006042617.tif 000024
【図３−４−２】
0006042617.tif 000025
【図３−５】
0006042617.tif 000026
【図３−５−１】
0006042617.tif 000027
【図４−１】
0006042617.tif 000028
【図４−２】
0006042617.tif 000029
【図５−１−１】
0006042617.tif 000030
【図５−１−２】
0006042617.tif 000031
【図５−２−１】
0006042617.tif 000032
【図５−２−２】
0006042617.tif 000033
【図５−３】
0006042617.tif 000034
【図５−４】
0006042617.tif 000035
【図５−５】
0006042617.tif 000036
【図６】
0006042617.tif 000037
【図７−１】
0006042617.tif 000038
【図７−２】
0006042617.tif 000039
【図７−３】
0006042617.tif 000040
【図７−４】
0006042617.tif 000041
【図７−５】
0006042617.tif 000042
【図７−６】
0006042617.tif 000043
【図７−７】
0006042617.tif 000044
【図７−８】
0006042617.tif 000045
【図７−９】
0006042617.tif 000046
【図８−１】
0006042617.tif 000047
【図８−２】
0006042617.tif 000048
【図８−３】
0006042617.tif 000049
【図９】
0006042617.tif 000050
【図１０】
0006042617.tif 000051
【図１１】
0006042617.tif 000052